(57)【特許請求の範囲】
【請求項１】
子供用のプレイヤードにおいて、
プレイヤード・フレームであって、
１つまたは複数の下側水平フレーム部材と、
前記下側水平フレーム部材に取り付けられた１つまたは複数の垂直フレーム部材であって、前記垂直フレーム部材の少なくとも一部が前記下側水平フレーム部材から上方に延在している、１つまたは複数の垂直フレーム部材と、
１つまたは複数の移動可能な保持部材であって、前記垂直フレーム部材に操作可能に接続されており、内方受入れ位置と保持位置との間で移動するように構成されている、１つまたは複数の移動可能な保持部材と、
を備えている、プレイヤード・フレームと、
取外し可能なプレイヤード・ライナーであって、
１つまたは複数の側壁と、
前記側壁に沿って垂直方向に画定された１つまたは複数のスリーブであって、前記移動可能な保持部材の周りに沿って摺動するように構成されている、１つまたは複数のスリーブと、
を備えている、プレイヤード・ライナーと、
を備えており、
前記スリーブが前記保持部材を覆って配置され、前記保持部材が前記保持位置に配置されたとき、前記プレイヤード・ライナーの前記側壁は、前記プレイヤード・フレームの前記保持部材間に拡がり、前記プレイヤード内に境界領域を画定するようになっている、ことを特徴とする子供用プレイヤード。
【請求項２】
前記移動可能な保持部材が前記内方受入れ位置と前記保持位置との間で枢動することを可能にするために、前記移動可能な保持部材は、前記垂直フレーム部材の１つに枢動可能に接続された下端を備えている、ことを特徴とする請求項１に記載のプレイヤード。
【請求項３】
前記移動可能な保持部材は、前記垂直フレーム部材の１つに接続された下端を備えており、
前記移動可能な保持部材は、弾性材料から構成されており、前記保持位置から前記内方受入れ位置に弾性的に変位するように構成されている、
ことを特徴とする請求項１に記載のプレイヤード。
【請求項４】
前記プレイヤード・フレームは、１つまたは複数の保持部材固定具をさらに備えており、  前記保持部材固定具は、前記保持位置にある前記保持部材を選択的に固定するように構成されている、ことを特徴とする請求項１に記載のプレイヤード。
【請求項５】
前記移動可能な保持部材は、前記垂直フレーム部材の１つに取外し可能に接続される下端を備えており、
前記移動可能な保持部材は、前記垂直フレーム部材に接続されたとき、前記内方受入れ位置と前記保持位置との間で移動することが可能になっている、
ことを特徴とする請求項１に記載のプレイヤード。
【請求項６】
前記保持部材が前記保持位置にあるときに前記保持部材の１つに配置されたプレイヤード・ライナーのスリーブが前記垂直フレーム部材の対応する１つから離間するように、前記保持部材が前記垂直フレーム部材に対して配置されるようになっている、ことを特徴とする請求項１に記載のプレイヤード。
【請求項７】
前記プレイヤード・フレームは、前記プレイヤード・フレームの上側周辺を画定する１つまたは複数の上側水平フレーム部材をさらに備えており、
前記１つまたは複数の側壁は、前記プレイヤード・ライナーの上側周辺を画定しており、
前記プレイヤード・フレームは、前記プレイヤード・フレームの前記上側周辺に操作可能に接続された１つまたは複数のフレーム固定具をさらに備えており、
前記プレイヤード・ライナーは、前記プレイヤード・ライナーの前記上側周辺に操作可能に接続された１つまたは複数のライナー固定具をさらに備えており、
前記１つまたは複数のフレーム固定具は、前記プレイヤード・ライナーの前記上側周辺を前記プレイヤード・フレームの前記上側周辺に取外し可能に固定するために、前記１つまたは複数のライナー固定具に係合するように構成されており、
任意選択的に、
前記１つまたは複数のフレーム固定具は、前記上側水平フレーム部材に固定された１つまたは複数のパッド付き部材に配置された第１の列のジッパー歯から構成されており、
前記１つまたは複数のライナー固定具は、前記プレイヤード・ライナーの前記上側周辺に沿って配置された第２の列のジッパー歯から構成されており、
前記プレイヤードは、前記プレイヤード・ライナーの前記上側周辺を前記プレイヤード・フレームの前記上側周辺に取外し可能に固定するために、前記第１の列のジッパー歯および前記第２の列のジッパー歯を互いに係合させるように構成された１つまたは複数のジッパーをさらに備えている、
ことを特徴とする請求項１に記載のプレイヤード。
【請求項８】
前記プレイヤード・ライナーは、洗濯機によって洗濯可能な柔軟材料から構成されており、
任意選択的に、
前記プレイヤード・ライナーは、床パネルをさらに備えており、
前記プレイヤード・ライナーの前記側壁は、前記床パネルの周辺から上方に延在しており、前記床パネルを包囲しており、
前記プレイヤードは、取外し可能なマットレスパネルをさらに備えており、前記マットレスパネルは、前記プレイヤード・ライナーの前記側壁内に嵌合するように構成されており、前記下側水平フレーム部材によって支持されるように構成されている、
ことを特徴とする請求項１に記載のプレイヤード。
【請求項９】
前記プレイヤード・フレームは、前記プレイヤード・フレームの上側周辺を画定する１つまたは複数の上側水平フレーム部材をさらに備えており、
前記１つまたは複数の側壁は、前記プレイヤード・ライナーの上側周辺を画定しており、
前記プレイヤード・ライナーは、内縁および外縁を有する少なくとも１つのフラップパネルをさらに備えており、
前記フラップパネルの前記内縁は、前記プレイヤード・ライナーの前記上側周辺に隣接して配置されており、
前記フラップパネルは、前記上側水平フレーム部材の上部を超えて前記上側水平フレーム部材の外側部の周りに延出するように構成されており、
前記フラップパネルは、前記フラップパネルの前記外縁に隣接して配置された１つまたは複数のフラップ固定具を備えており、
前記プレイヤード・フレームは、前記垂直フレーム部材の外部に配置された１つまたは複数のフラップ嵌合固定具をさらに備えており、前記フラップ嵌合固定具は、前記フラップ固定具に係合し、前記フラップパネルの前記外縁を前記垂直フレーム部材の前記外部に固定するように、構成されている、
ことを特徴とする請求項１に記載のプレイヤード。
【請求項１０】
前記プレイヤード・フレームは、折畳まれるように構成されており、
任意選択的に、
前記プレイヤード・フレームは、前記プレイヤード・フレームの上側周辺を画定する１つまたは複数の上側水平フレーム部材をさらに備えており、
前記１つまたは複数の上側水平フレーム部材は、下向き方向に折畳まれるように枢動可能に互いに連結された複数の上側水平フレーム部材から構成されており、
前記１つまたは複数の下側水平フレーム部材は、上向き方向に折畳まれるように枢動可能に互いに連結された複数の下側水平フレーム部材から構成されている、
ことを特徴とする請求項１に記載のプレイヤード。
【請求項１１】
子供用のプレイヤードにおいて、
プレイヤード・フレームであって、
１つまたは複数の下側水平フレーム部材と、
前記下側水平フレーム部材に取り付けられた１つまたは複数の垂直フレーム部材であって、前記垂直フレーム部材の少なくとも一部が前記下側水平フレーム部材から上方に延在している、１つまたは複数の垂直フレーム部材と、
１つまたは複数の移動可能な保持部材であって、前記垂直フレーム部材に操作可能に接続されており、内方受入れ位置と保持位置との間で移動するように構成されている、１つまたは複数の移動可能な保持部材と、
を備えている、プレイヤード・フレームと、
取外し可能なプレイヤード・ライナーであって、
１つまたは複数の側壁と、
前記１つまたは複数の移動可能な保持部材に係合するように構成された１つまたは複数の係合特徴部と、
を備えている、プレイヤード・ライナーと、
を備えており、
前記係合特徴部が前記保持部材に係合され、前記保持部材が前記保持位置に配置されたとき、前記プレイヤード・ライナーの前記側壁は、前記プレイヤード・フレームの前記移動可能な保持部材間に拡がり、前記プレイヤード内に境界領域を画定するようになっている、ことを特徴とする子供用プレイヤード。
【請求項１２】
前記１つまたは複数の保持部材は、少なくとも１つの長手方向溝を画定しており、
前記１つまたは複数の係合特徴部は、前記１つまたは複数の保持部材に係合するために前記長手方向溝内に挿入されるように構成された１つまたは複数の溝係合部材から構成されている、
ことを特徴とする請求項１１に記載のプレイヤード。
【請求項１３】
前記１つまたは複数の係合特徴部は、前記プレイヤード・ライナーに画定された１つまたは複数の開口を備えており、前記１つまたは複数の開口は、前記１つまたは複数の保持部材に係合するために、前記保持部材が前記開口を挿通することを可能にするように寸法決めされている、ことを特徴とする請求項１１に記載のプレイヤード。
【請求項１４】
前記１つまたは複数の係合特徴部は、第１の列のジッパー歯を備えており、
前記１つまたは複数の保持部材は、前記保持部材に係合するために前記第１の列のジッパー歯に係合するように構成された第２の列のジッパー歯を備えている、
ことを特徴とする請求項１１に記載のプレイヤード。
【請求項１５】
前記１つまたは複数の係合特徴部は、前記側壁に沿って垂直方向に画定された１つまたは複数のスリーブから構成されており、前記スリーブは、前記移動可能な保持部材に係合するために、前記保持部材の周りに沿って摺動するように構成されている、ことを特徴とする請求項１１に記載のプレイヤード。
【発明の詳細な説明】
【背景技術】
【０００１】
プレイヤードは、多くの場合、子供に部分的に囲った場所をもたらすために用いられる囲い込み装置である。典型的には、プレイヤードは、垂直フレーム部材によって接合された上側および下側水平フレーム部材を有する剛性フレームを備えている。通常、床パネルおよび側壁が、子供がプレイヤードに出入りするための上側開口と共に、フレーム部材間に画定されている。側壁および床パネルは、多くの場合、フレーム部材を覆って配置される布材料から構成されている。加えて、フレーム部材は、プレイヤードのより容易な可搬性および貯蔵を可能にするために折畳み可能になっていることもある。
【０００２】
多くのプレイヤードでは、プレイヤードの側壁および床パネルは、プレイヤード・フレームと共に折畳まれるように設計された取外しができない布材料から形成されている。例えば、特許文献１に記載されている折畳み可能なプレイヤードは、柔軟材料から作製された側パネルを備えており、これらの側パネルは、該側パネルを折畳み可能なプレイヤード・フレームに接続する横方向および垂直方向に配向されたスリーブを有している。しかし、特許文献１の柔軟な側パネルは、プレイヤードが組み立てられた後、プレイヤードから容易に取外すことができず、これによって、パネルの洗濯または洗浄が困難になっている。
【０００３】
さらに最近のプレイヤードは、包囲する側壁を形成するために、プレイヤード・フレームに固定される取外し可能な布囲いを設けている。例えば、特許文献２，３は、垂直ポストがコーナに配置された取外し可能な布囲いを備えるプレイヤードを開示している。布囲いの垂直ポストは、プレイヤード・フレームに配置された垂直チューブ内に挿通されるように構成されており、これによって、布囲いをプレイヤード・フレームに取外し可能に固定することが可能になっている。しかし、このようなポストを有する囲いは、多くの場合、対応するフレームに固定するのが困難であり、容易に損傷し、使用不能になりやすく、洗濯機を損傷させることもある。
【先行技術文献】
【特許文献】
【０００４】
【特許文献１】米国特許第４，８１１，４３７号明細書
【特許文献２】米国特許第６，８５９，９５７号明細書
【特許文献３】米国特許第７，５６８，２４２号明細書
【発明の概要】
【発明が解決しようとする課題】
【０００５】
従って、耐久性があり、プレイヤード・フレームに容易に固定され、かつプレイヤード・フレームから容易に取り外される、取外し可能、従って、洗濯可能なライナーを有する改良されたプレイヤードが、当技術分野において依然として必要とされている。
【課題を解決するための手段】
【０００６】
本発明の種々の実施形態は、子供用のプレイヤードに関する。種々の実施形態によれば、プレイヤードは、プレイヤード・フレームおよび取外し可能なプレイヤード・ライナーを備えている。プレイヤード・フレームは、１つまたは複数の下側水平フレーム部材と、    下側水平フレーム部材に取り付けられた１つまたは複数の垂直フレーム部材であって、垂直フレーム部材の少なくとも一部が下側水平フレーム部材から上方に延在している、１つまたは複数の垂直フレーム部材と、１つまたは複数の移動可能な保持部材であって、垂直フレーム部材に操作可能に接続されており、内方受入れ位置と保持位置との間で移動するように構成されている、１つまたは複数の移動可能な保持部材と、を備えている。取外し可能なプレイヤード・ライナーは、１つまたは複数の側壁と、側壁に沿って垂直方向に画定された１つまたは複数のスリーブであって、移動可能な保持部材の周りに沿って摺動するように構成されている、１つまたは複数のスリーブと、を備えている。垂直スリーブが保持部材を覆って配置され、保持部材が保持位置に配置されたとき、プレイヤード・ライナーの側壁は、プレイヤード・フレームの保持部材間に拡がり、プレイヤード内に境界領域を画定するようになっている。
【０００７】
加えて、種々の実施形態によれば、取外し可能なプレイヤード・ライナーをプレイヤード・フレームに固定するための方法が提供される。本方法は、１つまたは複数の垂直フレーム部材および１つまたは複数の保持部材を有するプレイヤード・フレームを組み立てるステップと、１つまたは複数の保持部材を保持位置から１つまたは複数の垂直フレーム部材の内方の受入れ位置に位置付けるステップと、１つまたは複数の側壁および１つまたは複数のスリーブを有するプレイヤード・ライナーを、スリーブが１つまたは複数の保持部材のそれぞれに略隣接するように、位置付けるステップと、１つまたは複数のスリーブを保持部材の周りに沿って摺動させるステップと、プレイヤード・ライナーの側壁がプレイヤード・フレームの保持部材間に拡がり、プレイヤードの境界領域を画定するように、１つまたは複数の保持部材を保持位置に再び位置付けるステップと、を含んでいる。
【０００８】
加えて、他の実施形態によれば、子供用のプレイヤードは、プレイヤード・フレームであって、１つまたは複数の下側水平フレーム部材と、下側水平フレーム部材に取り付けられた１つまたは複数の垂直フレーム部材と、プレイヤードの上側周辺を画定する１つまたは複数の上側水平フレーム部材であって、垂直フレーム部材の上端に取外し可能に固定され、これによって、上側水平フレーム部材をプレイヤード・フレームから取り外すことを可能にするように、構成されている、１つまたは複数の上側水平フレーム部材と、を備えるプレイヤード・フレームを備えている。プレイヤードは、取外し可能なプレイヤード・ライナーであって、１つまたは複数の側壁と、側壁に沿って垂直方向に画定された１つまたは複数のスリーブであって、垂直フレーム部材の周りに沿って摺動するように構成されている、１つまたは複数のスリーブと、を備えるプレイヤード・ライナーをさらに備えている。垂直スリーブが垂直フレーム部材を覆って配置されたとき、プレイヤード・ライナーの側壁は、プレイヤード・フレームの垂直フレーム部材間に拡がり、プレイヤード内に境界領域を画定するようになっている。加えて、１つまたは複数の上側水平フレーム部材は、互いに隣接する上側水平フレーム部材間に配置されたジョイント部材によって接続された複数の上側水平フレーム部材から構成されていてもよく、ジョイント部材は、１つまたは複数の垂直フレーム部材の上端に取外し可能に固定され、これによって、上側水平フレーム部材およびジョイント部材をプレイヤード・フレームから取り外すことを可能にするように、構成されていてもよい。
【０００９】
加えて、他の実施形態によれば、子供用のプレイヤードは、プレイヤード・フレームであって、１つまたは複数の下側水平フレーム部材と、下側水平フレーム部材に取り付けられた１つまたは複数の垂直フレーム部材であって、垂直フレーム部材の少なくとも一部が下側水平フレーム部材から上方に延在している、１つまたは複数の垂直フレーム部材と、１つまたは複数の移動可能な保持部材であって、垂直フレーム部材に操作可能に接続されており、受入れ位置と保持位置との間で移動するように構成されている、１つまたは複数の移動可能な保持部材と、を備えるプレイヤード・フレームを備えている。プレイヤードは、取外し可能なプレイヤード・ライナーであって、１つまたは複数の側壁と、１つまたは複数の移動可能な保持部材に係合するように構成された１つまたは複数の係合特徴部と、を備えるプレイヤード・ライナーをさらに備えている。係合特徴部が保持部材に係合され、保持部材が保持位置に配置されたとき、プレイヤード・ライナーの側壁は、プレイヤード・フレームの移動可能な保持部材間に拡がり、プレイヤード内に境界領域を画定するようになっている。
【００１０】
加えて、他の実施形態によれば、子供用のプレイヤードは、プレイヤード・フレームであって、１つまたは複数の下側水平フレーム部材と、下側水平フレーム部材に取り付けられた１つまたは複数の垂直フレーム部材であって、垂直フレーム部材の少なくとも一部が下側水平フレーム部材から上方に延在している、１つまたは複数の垂直フレーム部材と、    垂直フレーム部材に操作可能に接続された１つまたは複数の保持部材と、を備えるプレイヤード・フレームを備えている。加えて、プレイヤードは、取外し可能なプレイヤード・ライナーであって、１つまたは複数の側壁と、１つまたは複数の保持部材に係合するように構成された１つまたは複数の係合特徴部と、を備えるプレイヤード・ライナーをさらに備えている。係合特徴部が保持部材に係合されたとき、プレイヤード・ライナーの側壁は、プレイヤード・フレームの移動可能な保持部材間に拡がり、プレイヤード内に境界領域を画定するようになっている。
【００１１】
以下、添付の図面について説明する。なお、これらの図面は、必ずしも縮尺通りには描かれていない。
【図面の簡単な説明】
【００１２】
【図１】本発明の一実施形態によるプレイヤード・フレームの斜視図である。
【図２】図１のプレイヤード・フレームの他の斜視図である。
【図３】本発明の一実施形態による垂直フレーム部材に枢動可能に接続された保持部材の詳細な側面図である。
【図４】本発明の一実施形態による保持部材固定具の斜視図である。
【図５】図４の保持部材固定具の前方斜視図である。
【図６】図４の保持部材固定具の他の前方斜視図である。
【図７】本発明の他の実施形態による保持部材固定具の前方斜視図である。
【図８】本発明の一実施形態による部分的に折畳まれたプレイヤード・フレームの斜視図である。
【図９】本発明の一実施形態による完全に折畳まれたプレイヤード・フレームの斜視図である。
【図１０】本発明の一実施形態によるプレイヤード・ライナーの斜視図である。
【図１１】図１０のプレイヤード・ライナーの他の斜視図である。
【図１２】本発明の一実施形態によるパッド付き部材が固定されたプレイヤード・フレームの斜視図である。
【図１３】本発明の一実施形態によるプレイヤード・ライナーのスリーブ内に部分的に挿通された保持部材の側面図である。
【図１４】本発明の一実施形態によるプレイヤード・ライナーのスリーブ内に完全に挿通された保持部材の側面図である。
【図１５】本発明の一実施形態による係合部材が離脱されている状態にある保持部材固定具の斜視図である。
【図１６】係合部材が係合されている状態にある図１５の保持部材固定具の前面図である。
【図１７】本発明の一実施形態によるライナーが部分的に取り付けられたプレイヤード・フレームの正面図である。
【図１８】本発明の一実施形態によるプレイヤード・フレームの上方に持ち上げられたフラップパネルの斜視図である。
【図１９】本発明の一実施形態による垂直フレーム部材に固定されたフラップパネルの斜視図である。
【図２０】本発明の一実施形態による離脱された状態にあるフラップ固定具およびフラップ嵌合固定具の斜視図である。
【図２１】互いに係合された図２０のフラップ固定具およびフラップ嵌合固定具の斜視図である。
【図２２】本発明の他の実施形態による離脱された状態にあるフラップ固定具およびフラップ嵌合固定具の斜視図である。
【図２３】互いに係合された図２２のフラップ固定具およびフラップ嵌合固定具の斜視図である。
【図２４】本発明の一実施形態による下側フレーム部材に固定されたライナー床パネルの底面図である。
【図２５】本発明の一実施形態によるマットレスパッドの上面図である。
【図２６】本発明の一実施形態による組み立てられたプレイヤードの斜視図である。
【図２７】本発明の一実施形態による保持部材の下端および垂直フレーム部材の斜視図である。
【図２８】本発明の一実施形態によるスリーブを有するプレイヤード・ライナーに対する受入れ位置にある保持部材の斜視図である。
【図２９】本発明の一実施形態によるプレイヤード・ライナーの開口に挿通された保持部材の詳細な側面図である。
【図３０】本発明の一実施形態による溝係合部材を有するプレイヤード・ライナーに対する受入れ位置にある保持部材の斜視図である。
【図３１】本発明の一実施形態によるジッパー歯を有するプレイヤード・ライナーに対する受入れ位置にある保持部材の斜視図である。
【図３２】本発明の他の実施形態によるプレイヤード・フレームの斜視図である。
【発明を実施するための形態】
【００１３】
以下、本発明の全ての実施形態ではないが、いくつかの実施形態が示されている添付の図面を参照して、本発明をさらに十分に説明する。実際、これらの発明は、多くの異なる形態で実施されてもよく、本明細書に記載されている実施形態に制限されると解釈されるべきではない。むしろ、これらの実施形態は、この開示が適用される法的要件を満たすように、提示されている。図面の全体を通して、同様の番号は、同様の要素を指すものとする。
【００１４】
本発明の種々の実施形態は、子供に囲った場所をもたらすように構成されたプレイヤードに向けられている。種々の実施形態によれば、プレイヤードは、概して、フレームおよび取外し可能なライナーから構成されている。一般的に、プレイヤード・フレームは、取外し可能なライナーを受け入れ、かつ支持するように構成された実質的に剛性の構造体であり、取外し可能なライナーは、洗濯可能な柔軟材料から構成されているとよい。取外し可能なライナーは、フレームに固定されると、子供を受け入れるように寸法決めされた部分的に囲まれた空間を画定することになる。
【００１５】
［プレイヤード・フレーム］
図１は、一実施形態によるプレイヤード・フレーム１００を示している。例示されている実施形態では、フレーム１００は、複数の上側水平フレーム部材１０２、複数の下側水平フレーム部材１０４、および４つの垂直フレーム部材１０６を備えている。図示されているように、垂直フレーム部材１０６は、フレーム１００のコーナに配置されており、床または支持面に置かれるように構成された脚を備えている。上側水平フレーム部材１０２および下側水平フレーム部材１０４は、垂直方向において互いに離間するように、種々の高さの位置で垂直フレーム部材１０６に接続されている。上側水平フレーム部材１０２は、隣接する垂直フレーム部材１０６間に延在しており、これによって、フレーム１００の上側周辺を形成している。下側水平フレーム部材１０４は、垂直フレーム部材１０６の内方に配置されており、種々の点において互いに接続され、これによって、床から上方に離間した下側支持面（または、フレーム１００が配置される他の支持面）を形成している。「水平」および「垂直」という用語は、本明細書では、床（または他の支持面）に関して略水平方向または略垂直方向に配向された構成部品を示すために用いられており、厳密にまたは完全に水平または垂直になっている特定の構成部品を指すことを意図するものではない。
【００１６】
フレーム１００は、４つの保持部材１０８も備えている。保持部材１０８の各々は、それぞれの垂直部材１０６に操作可能に接続されている。保持部材１０８は、内方受入れ位置と保持位置との間で移動することができる略細長の部材である。例えば、図１は、一実施形態による保持部材１０８が内方受入れ位置に配置されているフレーム１００を示している。例示されている実施形態では、内方受入れ位置は、保持部材１０８がフレーム１００の中心に向かっていくらか内方に傾斜している位置である。以下にさらに詳細に説明するように、内方受入れ位置によって、取外し可能なプレイヤード・ライナーのスリーブを保持部材１０８の各々の周りに沿って摺動させることによって、該ライナーをフレーム１００に容易に固定することが可能になる。図２は、一実施形態による保持部材１０８が保持位置に配置されているフレーム１００を示している。例示されている実施形態では、保持位置は、保持部材１０８が垂直に配向され、垂直フレーム部材１０６と略平行になる位置である。以下にさらに詳細に説明するように、保持位置によって、保持部材１０８に係合されたプレイヤード・ライナーを互いに隣接する保持部材１０８間に引っ張って固定することが可能になる。
【００１７】
種々の実施形態によれば、保持部材１０８は、種々の方法によって内方受入れ位置と保持位置との間で移動するように構成することができる。例えば、図１，２の例示されている実施形態では、保持部材１０８の各々は、それぞれの垂直フレーム部材１０６の下端に枢動可能に接続されている。図３は、保持部材１０８の１つの下端のより詳細な図を示している。図示されているように、保持部材１０８は、ピン１１０（例えば、水平軸）を中心として枢動するように構成されている。ピン１００は、下側接続部材１１２によって、垂直フレーム部材１０６に操作可能に接続されている。詳細には、ピン１１０は、保持部材１０８が図１に示されている内方受入れ位置と図２に示されている保持位置との間で枢動することを可能にするように、構成されている。図１−４の実施形態では、保持部材１０８は、例えば、アルミニウムまたは高弾性ポリマー材料のような実質的に剛性の材料から構成されている。
【００１８】
他の実施形態では、保持部材１０８は、垂直部材１０６の下端に非枢動的に固定されていてもよい。いくつかの実施形態では、保持部材１０８は、各保持部材１０８が図２に示されているような保持位置から図１に示されているような内方受入れ位置に弾性的に変位することを可能にする柔軟な弾性材料から構成されている。例えば、ユーザーは、保持部材１０８の上端を掴み、該上端を内方受入れ位置に屈曲させ、次いで、保持部材をその元の保持位置に弾性的に戻すことができる。他の実施形態では、保持部材１０８は、実質的に剛性であり、移動できないようになっており、この場合、保持部材１０８は、常に保持位置にある。例えば、一実施形態では、取外し可能な固定具またはキャップが、移動できない保持部材１０８の上端に配置されており、この固定具またはキャップは、ライナースリーブが保持部材１０８の周りに沿って摺動することを可能にするために、取外し可能になっている。他の実施形態では、ライナーは、他の係合特徴部、例えば、ジッパー、スナップ、ベルクロ、グロメット、または本明細書に記載されている他の係合特徴部によって、移動できない保持部材１０８に取り付けられるようになっている。
【００１９】
さらに他の実施形態では、保持部材１０８は、フレーム１００から完全に取外し可能になっている。例えば、図２７は、保持部材１０８が、フレーム１００から取り外し可能になっており、保持部材１０８の下端に配置された楔部材６０１を備えている、一実施形態を示している。例示されている実施形態では、垂直フレーム部材１０６に接続された下側接続部材１１２は、楔部材６０１を受け入れるように構成された傾斜凹み６０２を画定している。楔部材６０１が傾斜凹み６０２内に係合されると、保持部材１０８は、（図２７に示されている）内方受入れ位置と（保持部材の上端が垂直フレーム部材１０６に固定される）受入れ位置との間で移動することが可能になる。他の実施形態では、保持部材固定具、例えば、以下にさらに詳細に説明するような保持部材固定具が、保持部材１０８の上下端に配置されてもよい。このような実施形態では、内方受入れ位置は、それぞれの保持部材１０８がフレームから取り外されている位置であり、保持位置は、保持部材１０８がフレーム１００に取り付けられている位置である。実際、本明細書の説明から明らかなように、保持部材１０８は、保持部材１０８を垂直フレーム部材１０６に固定し、内方受入れ位置と保持位置との間で移動することを可能にするどのような方法によって、移動するように構成されていてもよい。
【００２０】
種々の実施形態によれば、フレーム１００は、保持位置にある保持部材１０８を固定するように概して構成された保持部材固定具をさらに備えている。例えば、図４−６は、一実施形態による保持部材固定具１１４を示している。例示されている実施形態では、保持部材固定具１１４は、上側接続部材１１５内に画定された保持空洞１１６と、保持部材１０８の１つの上端に配置された係合部材１１７とから構成されている。上側接続部材１１５は、垂直フレーム部材１０６の上端に固定されており、その空洞１１６は、係合部材１１７を受入れ、かつ固定するように寸法決めされている。
【００２１】
図４−６の例示されている実施形態では、係合部材１１７は、バネ付勢されており、ユーザーによって加えられた力に応じて、拡張位置と後退位置との間で移動するように構成されている。例えば、図４は、内方受入れ位置にある保持部材１０８および拡張位置にある係合部材１１７を示している。図５は、保持位置に移動した保持部材１０８および（例えば、ユーザーが係合部材１１７を下方に押し、バネを圧縮させることによって）保持位置に移動した係合部材１１７を示している。図５に示されているように、係合部材１１７がその後退位置にあると、係合部材１１７の上端が空洞１１６のリップの直下に位置し、これによって、保持部材１０８をその保持位置に移動することが可能になると共に、係合部材１１７を空洞１１６の下方に配置させることが可能になる。図６に示されているように、係合部材１１７がその拡張位置に戻ると、該係合部材１１７は、空洞１１６内に延出し、これによって、保持部材１０８を保持位置に固定することができる。もしユーザーが保持部材をその内方受入れ位置に戻すことを望むなら、係合部材１１７を下方に押し、空洞１１６から離脱させ、これによって、保持部材１０８を自由に内方に移動させることができる。
【００２２】
図７は、他の実施形態による保持部材固定具１３４を示している。例示されている実施形態では、保持部材固定具１３４は、（例えば、方向矢印によって示されているように）上側解除位置と下側係合位置との間で垂直フレーム部材１０６に沿って移動するように構成された係合キャップ１３７を備えている。係合キャップ１３７は、空洞１３６を備えている。空洞１３６は、保持部材１０８の上部の周りに沿って摺動し、保持位置にある保持部材１０８を選択的に固定するように、寸法決めされている。さらに他の実施形態では、保持部材固定具は、１つまたは複数の受動ラッチから構成されていてもよい。受動ラッチは、保持部材１０８を、（保持部材１０８から離れる方に変位し、次いで、保持部材１０８を捕捉するように跳ね返るように設計された）材料、例えば、板バネを超えて押し込むことによって、保持部材１０８を固定することができるように構成されている。本明細書の説明から明らかなように、フレームの保持部材固定具は、保持位置にある保持部材１０８を選択的に固定するのに適するどのような固定具から構成されていてもよい。
【００２３】
また、いくつかの実施形態では、フレーム１００は、貯蔵に必要な空間を最小限に抑えるために、よりコンパクトな形状に折畳まれるように構成されている。例えば、図８は、一実施形態による部分的に折畳まれた状態にあるフレーム１００を示している。例示されている実施形態では、上側水平フレーム部材１０２は、上側ジョイント部材１２１によって枢動可能に互いに接続されており、上側接続部材１１５によって垂直フレーム部材１０６に枢動可能に接続されている。図８に示されているように、各上側水平フレーム部材１０２は、上側水平フレーム部材１０２を下向き方向に枢動させることができるピンによって、上側ジョイント部材１２１および上側接続部材１１５に固定されている。特定の実施形態では、上側接続部材１１５および上側ジョイト部材１２１によって、上側水平フレーム部材１０２の各々は、フレーム１００が置かれた支持面と直交する面に沿って、下方に移動することが可能になっている。
【００２４】
同様に、下側水平フレーム部材１０４は、下側ジョイント部材１２２によって枢動可能に互いに接続されている。加えて、下側水平フレーム部材１０４のいくつかは、下側接続部材１１２によって、垂直フレーム部材１０６に枢動可能に互いに接続されている。図８に示されているように、下側水平フレーム部材１０４は、下側水平フレーム部材１０４を上向き方向に枢動させることができるピンによって、種々の下側ジョイト部材１２２および接続部材１１２に固定されている。
【００２５】
図９は、一実施形態による完全に折畳まれた状態にあるフレーム１００を示している。上側水平フレーム部材１０２を下向きに枢動させ、下側水平フレーム部材１０４を上向きに枢動させることによって、垂直フレーム部材１０６が内方に向かってかつ互いに隣接するように移動し、これによって、図９の完全に折畳まれた状態を得ることができる。種々の実施形態によれば、種々のジョイント部材１２１，１２２および接続部材１１５，１１２の１つまたは複数は、係止機構をさらに備えていてもよい。この係止機構は、フレーム１００を図１，２に示されているような拡張位置に選択的に係止し、フレーム１００を選択的に脱係止させ、図９に示されているような貯蔵位置に折畳まれることを可能にするように、構成されている。加えて、ユーザーがフレーム１００を容易に脱係止または係止することを可能にする迅速解除機構が設けられてもよい。さらに、本明細書の説明から明らかなように、フレーム１００は、フレーム１００に固定されるプレイヤード・ライナー（例えば、以下に記載されるライナー２００）の有無に関わりなく、折畳み可能になっているとよい。
【００２６】
種々の実施形態によれば、本明細書に記載されているフレーム１００の種々の構成部品は、取外し可能なプレイヤード・ライナー、子供、または配置される他のものによって加えられる荷重（例えば、子供が飛び跳ねることによる動的荷重）に耐える適切な強度の種々の材料から構成されているとよい。例えば、種々のフレーム部材１０２，１０４，１０６は、アルミニウムまたは高弾性ポリマー材料のような略剛性材料から構成されているとよい。
【００２７】
本明細書の説明から明らかなように、本発明の範囲から逸脱することなく、本明細書に記載されているプレイヤード・フレームの実施形態に対して、種々の修正がなされてもよい。種々の実施形態において、プレイヤード・フレームは、どのような数の垂直フレーム部材を備えていてもよく、これらの垂直フレーム部材は、種々の方法によって配置されていてもよい。一例として、プレイヤード・フレームは、三角形、台形、または円形に配置された複数の垂直フレーム部材を備えていてもよい。加えて、プレイヤード・フレームは、垂直フレーム部材のいくつかまたは全てに配置された保持部材を備えていてもよいし、単一の垂直フレーム部材に配置された２つ以上の保持部材を備えていてもよい。さらに、種々の実施形態では、プレイヤード・フレームの上側および下側水平フレーム部材は、どのような数の個々の部材、例えば、単一の上側または下側水平フレーム部材から構成されていてもよい。加えて、プレイヤード・フレームは、折畳まれないように構成されていてもよい。
【００２８】
［プレイヤード・ライナー］
図１０は、一実施形態によるプレイヤード・ライナー２００を示している。例示されている実施形態では、ライナー２００は、４つの側壁２０２および床パネル２０４によって画定された単一布囲いである。側壁２０２および床パネル２０４は、連携して、上側開口および略矩形断面を有する部分的に囲まれた領域を画定している。側壁２０２は、ライナー２００の上側周辺２０６をさらに画定している。いくつかの実施形態によれば、図１０に示されているジッパー歯のような固定具が、上側周辺２０６に沿って配置されている。
【００２９】
ライナー２００は、４つのスリーブ２０８をさらに備えている。スリーブ２０８の各々は、ライナー２００の４つのコーナにおいてライナー２００の外部に取り付けられた布材料によって画定されている。図１０では、スリーブ２０８の１つが、スリーブ２０８の境界を概略的に示すために、破線によって示されている。図示されているように、スリーブ２０８の各々は、ライナー２００の下縁に配置された下側開口２１０を画定しており、ライナーの上側周辺２０６のいくらか下方の箇所までライナー２００に沿って垂直に延在しており、該箇所において、上側開口２０９を画定している。種々の実施形態によれば、スリーブ２０８は、概して、プレイヤード・フレーム１００の保持部材１０８の周りに沿って摺動するように寸法決めされている。
【００３０】
図１１に示されているように、ライナー２００は、フラップパネル２１２をさらに備えている。フラップパネル２１２は、ライナーの上側周辺２０６から外方に延在している。種々の実施形態では、フラップパネル２１２は、ライナーの上側周辺２０６に沿って延在する内縁２１４を有する布パネルである。フラップパネル２１２は、湾曲した輪郭を有する外縁２１６をさらに備えており、外縁２１６の（ライナーのコーナに隣接する）部分は、外縁２１６の中央部分よりも内縁２１４からさらに延在している。
【００３１】
図示されているように、側壁２０２は、呼吸可能なメッシュ布材料からほぼ形成されており、中実の布材料が、側壁２０２の縁部分に沿ってメッシュ材料を包囲している。同様に、床パネル２０４も、例えば、中実の布材料から形成されているとよい。いくつかの実施形態では、ライナー２００の種々の構成部品を形成するのに用いられる布材料は、洗濯可能な布材料、例えば、ナイロンから構成されている。特定の実施形態では、ライナー２００は、その種々の構成部品に損傷をもたらすことなく、洗濯機によって洗濯されるように、構成されている。本明細書の説明から明らかなように、ライナー２００の種々の構成部品、例えば、側壁２０２、床パネル２０４、およびスリーブ２０８は、種々の適切な材料、例えば、布材料と非布材料の種々の組合せから構成されてもよいことも見込まれている。
【００３２】
本明細書の説明から明らかなように、本発明の範囲から逸脱することなく、本明細書に記載されているプレイヤード・ライナーの実施形態に対して、種々の修正がなされてもよい。例えば、いくつかの実施形態では、プレイヤード・ライナーのスリーブは、床パネルおよび／またはフラップパネルを備えていなくてもよい。加えて、種々の実施形態によれば、プレイヤード・ライナーは、（例えば、スリーブ材料を側壁の内部に取り付けることによって）、ライナーの内部に沿って配置されてもよいし、ライナーから外方に延在する布タブに沿って配置されてもよいし、多数のセグメントまたはループから構成されてもよい。
【００３３】
さらに、プレイヤード・ライナーの種々の実施形態は、本明細書に記載されているプレイヤード・フレームの種々の実施形態に固定されるように構成されているとよい。従って、ライナーは、特定のプレイヤード・フレームの実施形態に対応する種々の方法によって配置される任意の数の側壁を備えることができる。一例では、ライナーは、本明細書に例示されている矩形形状以外の形状を画定する複数の側壁を備えていてもよい。例えば、ライナーは、丸められた矩形、円、楕円、三角形、および５角形のような他の形状を画定する単一または多数の側壁を備えていてもよい。さらに他の実施形態では、ライナーは、プレイヤード・フレームに個々に配置されるように構成された個別の側壁パネルから構成されていてもよい。例えば、このような個別の側壁パネルは、各々、パネルの側縁に配置されたスリーブ、上縁に配置されたジッパー歯のような固定具、および／または個々のフラップパネルを備えているとよい。加えて、ライナーは、プレイヤード・フレームの１つまたは複数の保持部材に対応するようにライナーに配置されたどのような数のスリーブを備えていてもよい。
【００３４】
［プレイヤード・フレームへのプレイヤード・ライナーの固定］
前述したように、プレイヤード・ライナー２００の種々の実施形態は、子供用のプレイヤードをもたらすために、プレイヤード・フレーム１００に固定されるように構成されている。図１２−２６は、種々の実施形態によるライナー２００をフレーム１００に固定するための方法の種々のステップを示している。
【００３５】
最初、図１２に示されているように、１つまたは複数のパッド付き部材２５０がフレーム１００の上側水平フレーム部材１０２に装着される。例示されている実施形態では、パッド付き部材２５０は、パッド付き部材２５０の内部に沿って連続的に配置された一列のジッパー歯２５２を備える単一のパッド付き構造体を形成している。一実施形態では、パッド付き部材２５０は、製造プロセス中に上側水平フレーム部材１０２に半永久的に取り付けられており、上側水平フレーム部材１０２が折畳まれるかまたは拡張されると、上側水平フレーム部材１０２と共に屈曲し、折畳まれるように構成されている。他の実施形態では、パッド付き部材２５０は、（例えば、パッド付き部材２５０を上側水平フレーム部材１０２の周りに巻き付け、それらをスナップ、バックル、ジッパー、またはベルクロのような固定具によって適所に固定することによって）、ユーザーによって上側水平フレーム部材１０２に固定されるように構成されている。例えば、一実施形態では、パッド付き部材２５０は、ライナー２００に取り付けられており、上側水平フレーム部材１０２の周りに巻き付けられ、固定されるように構成されている。加えて、種々の実施形態では、パッド付き部材２５０は、（図１２の単一の構造と違って）、個々に固定される多数の個別の構成部品から構成されていてもよい。さらに、いくつかの実施形態では、パッド付き部材２５０と同一または同様の構造を有するパッドのない部材が、パッド付き部材２５０と共にまたはその代わりに用いられてもよい。
【００３６】
次いで、図１３に示されているように、フレームの保持部材１０８の各々がそれぞれの保持部材固定具１１４から離脱され、内方受入れ位置に向かって垂直フレーム部材１０６から離れる方に枢動される。次いで、ライナー２００のスリーブ２０８の各々が、（保持部材１０８の上端をスリーブ２０８の下側開口２１０内に挿入し、スリーブ２０８を下方に引っ張ることによって）、それぞれ保持部材１０８の周りに沿って摺動される。図１４に示されているように、各スリーブ２０８の下側開口２１０がそれぞれの保持部材１０８の下端に隣接して位置するまで、各スリーブ２０８が下方に移動される。保持部材１０８が垂直フレーム部材１０６に固定されている実施形態では、各保持部材１０８は、スリーブ２０８を受け入れるために、その内方受入れ位置に弾性的に移動されることになる。保持部材１０８がフレーム１００から離脱可能になっている実施形態では、各保持部材１０８は、フレームから取り外され、ライナースリーブ２０８内に挿通され、次いで、保持位置にあるフレーム１００に再び取り付けられるとよい。
【００３７】
図１５は、それぞれの保持部材１０８がスリーブ２０８内に完全に挿通され、まだ内方受入れ位置にあるときの係合部材１１７の１つを示している。図１５から分かるように、保持部材１０８がスリーブ１０８内に完全に挿通されたとき、それらの各係合部材１１７は、スリーブ２０８の上側開口２０９のすぐ上に延出することになる。これによって、スリーブ２０８が保持部材固定部１１４のどのような構成部品にも捕捉されないことになる。  
【００３８】
次に、図１６に示されているように、各保持部材１０８の係合部材１１７が（例えば、係合部材を下方に押すことによって）後退され、それぞれの保持部材１０８が保持位置に戻るように枢動される。従って、係合部材１１７は、保持部材固定具１１４の空洞１１６内に延出することができ、これによって、保持位置にある保持部材１０８を固定することができる。他の実施形態では、係合部材１１７は、後退可能になっておらず、（例えば、カムのような動作を介して）ユーザーによって加えられた力によって空洞１１６内に挿入されるように構成されている。スリーブ２０８および保持部材１０８の各々のためのこれらのステップを行うことによって、ライナー２００の側壁２０２および床パネル２０４は、種々の保持部材１０８間に引っ張られて保持されることになる。加えて、例示されている実施形態では、保持部材１０８がスリーブ２０８内に完全に挿通され、その保持位置に配置されたとき、スリーブ２０８は、垂直フレーム部材１０６と接触しておらず、これによって、スリーブ２０８に加えられる摩擦および摩耗の程度を低減させることができる。
【００３９】
図１６から分かるように、保持部材１０８がそれらの保持位置に固定されると、パッド付き部材２５０のジッパー歯２５２およびライナー２００の上側周辺２０６に沿って配置されたジッパー歯は、互いに近接して位置することになる。従って、図１７に示されているように、ジッパー２６０によって、パッド付き部材２５０のジッパー歯２５２およびライナー２００の上側周辺２０６に沿って配置されたジッパー歯を互いに係合させることができる。ジッパーを完全に係合させることによって、ライナー２００の上側周辺２０６がパッド付き部材２５０に固定され、これによって、上側水平フレーム部材１０２にも固定されることになる。これによって、ライナー２００の側壁２０２をプレイヤードの周辺の周りに実質的に直立した垂直位置に固定するための付加的な支持体が得られることになる。
【００４０】
次に、図１８に示されているように、ライナー２００のフラップパネル２１２が上側水平フレーム部材１０２およびパッド付き部材２５０の上方に持上げられ、側壁２０２の外側に隣接して下方に引っ張られる。図示されているように、フラップパネル２１２は、その外縁２１６に沿ってコーナ領域に隣接して配置されたフラップ固定具２１８を備えている。フラップ固定具２１８は、垂直フレーム部材１０６の外部に配置されたフラップ嵌合固定具２１９に係合するように構成されている。従って、図１９に示されているように、次に、フラップ固定具２１８がフラップ嵌合固定具２１９に係合され、これによって、フラップパネル２１２を上側水平フレーム部材１０２およびパッド付き部材２５０を超えて側壁２０２および垂直フレーム部材１０６の側面の下方に固定することができる。フラップパネル２１２をこのように固定することによって、フラップパネルは、プレイヤードの内部から手が届くフレーム１００の全ての構成部品を完全に覆い、プレイヤード内に位置する子供と種々のフレーム構成部品との間に安全バリアをもたらすことになる。
【００４１】
図２０，２１に示されているように、一実施形態では、フラップパネル２１２を固定するために、フラップ固定具２１８が剛性突起を有する固定部材２２８を備えており、フラップ嵌合固定具２１９が固定部材２２８の剛性突起を受け入れるように構成された空洞を有する受入れ部材２２９を備えている。他の実施形態では、図２２，２３に示されているように、フラップパネル２１２を固定するために、フラップ固定具２１８が第１のベルクロストラップ２３８を備えており、フラップ嵌合固定具２１９が第１のベルクロストラップ２３８に係合するように構成された第２のベルクロストラップ２３９を備えている。本明細書の記載から明らかなように、フラップ固定具２１８およびフラップ嵌合固定具２１９は、どのような他の適切な固定具、例えば、制限されるものではないが、スナップ、バックル、およびフック・ループ組合せから構成されていてもよい。
【００４２】
次に、図２４に示されているように、ライナー２００の床パネル２０４が、床パネル固定具２７０によって下側水平フレーム部材１０４に固定される。種々の実施形態によれば、床パネル固定具２７０は、どのような適切な固定具、例えば、ベルクロによって係合されるストラップまたはループ、スナップ、バックル、またはＤリングから構成されていてもよい。加えて、種々の実施形態によれば、フレーム１００の種々の部分、例えば、制限されるものではないが、下側接続部材１１２および種々の下側水平フレーム部材１０４に床パネル２０４を固定するために、どのような数の床パネル固定具２７０が設けられてもよい。
【００４３】
最後に、子供に心地よい支持面をもたらすために、マットレスパッド３００が床パネル１０４の上に配置されるとよい。図２５に示されているように、一実施形態では、マットレスパッド３００は、折畳み可能に互いに取り付けられた多数のパッド付きパネル３０２から構成されており、これらのパッド付きパネル３０２は、連携して、プレイヤードの内部に嵌合するように寸法決めされている。種々の実施形態によれば、マットレスパッド３００は、マットレスパッド３００をプレイヤードに固定するように構成されたどのような数の固定具を備えていてもよい。例えば、図２５の例示されている実施形態では、マッドレスパッド３００は、マットレスパッド３００のコーナに配置された複数のベルクロパッチ３０４を備えている。一実施形態では、対応するベルクロパッチは、ベルクロパッチ３０４と嵌合してマットレスパッド３００を固定するために、床パネル２０４の上面に配置されている。加えて、マットレスパッド３００は、取外し可能かつ洗濯可能なスリップカバーをさらに備えていてもよい。
【００４４】
図２６は、本明細書に記載されているステップによって組み立てられたフレーム１００およびライナー２００から構成されたプレイヤード１０を示している。図示されているように、ライナーの側壁２０２は、（図では見えない）保持部材１０８によって引っ張られて支持されており、プレイヤード１０の周辺に実質的に垂直の矩形状境界を画定している。加えて、図示されているフラップパネル２１２は、その固定された状態において、プレイヤード１０の内部からフレーム構成部品に手が届かないように防ぐことになる。
【００４５】
本明細書の説明から明らかなように、本発明の範囲から逸脱することなく、本明細書に記載されているプレイヤードおよびプレイヤード組立方法に対して、種々の修正がなされてもよい。例えば、いくつかの実施形態では、パッド付き部材２５０のジッパー歯２５２およびライナー２００の上側周辺２０６に沿って配置されたジッパー歯は、上側周辺２０６の全周ではなく、上側周辺２０６の周りの特定位置に配置された多数のジッパー歯セグメントから構成されてもよい。種々の他の実施形態では、ライナー２００の上側周辺２０６をパッド付き部材２５０に固定するために、（例えば、前述のジッパー歯の代わりに）他の種類の固定具、例えば、スナップ、バックル、またはベルクロが用いられてもよい。加えて、他の実施形態では、パッド付き部材が、ライナー２００に直接取り付けられ、上側水平フレーム部材１０２の周りに巻き付けられ、かつ固定されるように構成されてもよい。他の実施形態では、固定具は、上側水平フレーム部材１０２に直接配置され、ライナー２００の上側周辺２０６に沿って配置された固定具に係合するように構成されてもよい。
【００４６】
加えて、種々の実施形態によるライナー２００が、種々の方法によってフレーム保持部材１０８に固定されるようになっていてもよい。例えば、図２８は、保持部材１０８がフレーム１００から完全に取外し可能になっており、上側フレーム開口６０５を通って下側フレーム凹み６０６内に挿入されることによって、垂直フレーム部材１０６に固定されるようになっている、一実施形態を示している。例示されている実施形態では、ライナー２００は、保持部材１０８をフレーム１００の上方の受入れ位置に移動させ、ライナースリーブ２０８を上側フレーム開口６０５と下側フレーム凹み６０６との間に位置決めし、保持部材１０８を開口６０５およびスリーブ２０８内を挿通させ、（保持部材の下端が凹み６０６内に係合され、保持部材の上端が開口６０５内に固定される）保持位置に移動させることによって、保持部材１０８に固定されるとよい。
【００４７】
他の例として、図２９は、ライナー２００が、ライナー２００に接続されたタブ６１１の長さ方向に沿って画定された複数のライナー開口６１０（例えば、グロメット）を備えている、一実施形態を示している。例示されている実施形態では、ライナー開口６１０は、保持部材１０８が開口６１０内に挿通されるように、寸法決めされている。従って、ライナー２００は、保持部材２００を受け入れ位置に移動させ、開口６１０を保持部材１０８の周りに沿って摺動させることによってタブ６１１を保持部材１０８に接続させ、保持部材１０８を保持位置に移動させることによって、保持部材１０８に固定されるとよい。他の実施形態では、開口６１０は、ライナー２００の側壁２０２上に画定されてもよい（例えば、下側開口がライナー側壁の下縁に近接して画定され、上側開口が下側開口の上方のライナー側壁の上縁に近接して画定されてもよい）。
【００４８】
さらに他の例として、図３０は、保持部材１０８がライナー２００の縁（またはタブ）に沿って長手方向に配置された１つまたは複数の係合部材６２１を受け入れるように構成された長手方向溝６２０を画定している、一実施形態を示している。例示されている実施形態では、ライナー２００は、保持部材１０８を受入れ位置に移動させ、ライナー２００の縁が保持部材１０８に隣接して配置されるように、係合部材６２１を溝６２０内に摺動させ、保持部材１０８を保持位置に移動させることによって、保持部材１０８に固定されるとよい。加えて、さらに他の例として、図３１は、第１の列のジッパー歯６３０（例えば、保持部材１０８の周りに固定された布に取り付けられたジッパー歯）が保持部材１０８の長さ方向に沿って配置され、第２の列のジッパー歯６３１（例えば、ライナー２００の側壁２０２に沿ってまたは側壁２０２から延在するタブに沿って配置されたジッパー歯）がライナー２００の縁に沿って長手方向に配置されている、一実施形態を示している。例示されている実施形態では、ライナー２００は、保持部材１０８を受入れ位置に移動させ、第１の列のジッパー歯６３０および第２の列のジッパー歯６３１をジッパー６３２によって係合させ、保持部材１０８を保持位置に移動させることによって、保持部材１０８に固定されるとよい。
【００４９】
加えて、種々の実施形態によれば、ライナー２００は、フラップパネル２１２またはフラップパネル２０４を備えていなくてもよい。このような実施形態では、フラップパネル２１２および床パネル２０４を固定する前述のステップが省略されてもよい。加えて、ライナー２００が床パネルを備えていない実施形態では、マットレスパッド３００は、適切な固定具を用いて、下側水平フレーム部材１０４に直接固定されてもよい。加えて、本明細書の説明から明らかなように、本明細書に記載されているライナー２００をフレーム１００を固定するための方法における種々のステップは、修正されてもよいし、または省略されてもよく、本明細書に記載されている種々のライナーおよびフレームの実施形態によって、新しいステップが加えられてもよい。
【００５０】
［取外し可能な上側フレーム部材を有するプレイヤード・フレーム］
図３２は、一実施形態によるプレイヤード・フレーム５００を示している。種々の実施形態によれば、フレーム５００は、前述のフレーム１００の種々の特徴を備えているが、保持部材１０８に関する特徴を備えていない。例えば、例示されている実施形態では、フレーム５００は、複数の上側水平フレーム部材５０２、複数の下側水平フレーム部材５０４、および４つの垂直フレーム部材５０６を備えている。図示されているように、上側水平フレーム部材５０２は、フレーム５００のコーナにおいて上側接続部材５１５に接続されている。
【００５１】
種々の実施形態によれば、上側接続部材５１５は、垂直フレーム部材５０６の上端に選択的に固定されるように構成されている。例えば、一実施形態では、上側接続部材５１５は、ユーザーが種々の上側接続部材５１５を垂直フレーム部材５０６に選択的に係止または脱係止させることを可能にするラッチまたはボタンによって制御される固定具を備えている。従って、上側接続部材５１５を垂直フレーム部材５０６から離脱させることによって、ユーザーは、上側水平フレーム部材５０２の全てをフレーム５００から容易に取り外すことができる。
【００５２】
種々の実施形態では、フレーム５００は、前述のライナー２００と実質的に同様のプレイヤード・ライナーを受け入れるように構成されている。例えば、一実施形態では、ライナーは、垂直フレーム部材５０６の周りに沿って摺動するように寸法決めされたスリーブを備えているとよい。このような実施形態では、ユーザーは、上側水平フレーム部材５０２をフレーム５００から取り外し、ライナースリーブを垂直フレーム部材５０６の周りに沿って摺動させ、さらにフレーム１００およびライナー２００に関して本明細書に記載された任意の適切な方法を用いて、ライナーをフレーム５００に固定することができる。前述したように、フレーム５００およびその対応するライナーは、前述したフレーム１００およびライナー２００の種々の他の態様を備えているとよい。例えば、フレーム５００は、フレーム１００に対する方法によって折り畳むように構成されているとよい。加えて、他の実施形態では、フレーム５００は、単一の上側水平フレーム部材を備えていてもよい。
【００５３】
［結論］
前述の説明および関連する図面に現れる示唆の利得を有する本発明が属する技術分野における当業者には、本明細書に記載されている本発明の多くの修正形態および他の実施形態が思い浮ぶだろう。従って、本発明は、開示されている特定の実施形態に制限されるものではなく、修正形態および他の実施形態は、添付の請求項の範囲内に含まれることが意図されていることを理解されたい。特定の用語が本明細書に用いられているが、これらの用語は、総称的かつ叙述的な意味でのみ用いられており、制限することを目的とするものではない。
【図１】
0005837100.tif 000002
【図２】
0005837100.tif 000003
【図３】
0005837100.tif 000004
【図４】
0005837100.tif 000005
【図５】
0005837100.tif 000006
【図６】
0005837100.tif 000007
【図７】
0005837100.tif 000008
【図８】
0005837100.tif 000009
【図９】
0005837100.tif 000010
【図１０】
0005837100.tif 000011
【図１１】
0005837100.tif 000012
【図１２】
0005837100.tif 000013
【図１３】
0005837100.tif 000014
【図１４】
0005837100.tif 000015
【図１５】
0005837100.tif 000016
【図１６】
0005837100.tif 000017
【図１７】
0005837100.tif 000018
【図１８】
0005837100.tif 000019
【図１９】
0005837100.tif 000020
【図２０】
0005837100.tif 000021
【図２１】
0005837100.tif 000022
【図２２】
0005837100.tif 000023
【図２３】
0005837100.tif 000024
【図２４】
0005837100.tif 000025
【図２５】
0005837100.tif 000026
【図２６】
0005837100.tif 000027
【図２７】
0005837100.tif 000028
【図２８】
0005837100.tif 000029
【図２９】
0005837100.tif 000030
【図３０】
0005837100.tif 000031
【図３１】
0005837100.tif 000032
【図３２】
0005837100.tif 000033